(57)【特許請求の範囲】
【請求項１】
スライドゲート又はスライドドアのような摺動可能な機構のための装置（１）であって、該装置（１）は、支持又は保持部材（２）と、短い方の走行レール（３）と、長い方の走行レール（４）とを備え、前記支持又は保持部材（２）には、回転部材（５）及び／又は滑動部材が設けられており、該回転部材（５）及び／又は滑動部材を介して前記短い方の走行レール（３）が移動可能であり、該短い方の走行レール（３）及び場合によっては前記支持又は保持部材（２）には、さらなる回転部材（６）及び／又は滑動部材が設けられており、該回転部材（６）及び／又は滑動部材を介して前記長い方の走行レール（４）が移動可能であり、前記長い方の走行レール（４）は、前記摺動可能な機構を支持し、前記短い方の走行レール（３）は前記摺動可能な機構を摺動方向に案内しつつ、前記摺動可能な機構および前記長い方の走行レール（４）の荷重を受けることを特徴とする、装置。
【請求項２】
前記短い方の走行レール（３）に設けられている前記回転部材（６）及び／又は滑動部材は、前記短い方の走行レール（３）の対向する端部（Ｅ１、Ｅ２）に取り付けられていることを特徴とする、請求項１に記載の装置。
【請求項３】
前記短い方の走行レール（３）は、前記長い方の走行レール（４）の移動時に、最大引き出し位置（ＩＩＩ）又は引き込み位置（Ｉ）へと自動的に前記長い方の走行レール（４）と共に移動可能であることを特徴とする、請求項１又は２に記載の装置。
【請求項４】
前記短い方の走行レール（３）の断面は、前記支持又は保持部材（２）を覆うとともに前記支持又は保持部材（２）のための１つの間隙が設けられた形状であることを特徴とする、請求項１〜３のいずれか一項に記載の装置。
【請求項５】
前記長い方の走行レール（４）の断面は、前記支持又は保持部材（２）を覆うとともに前記支持又は保持部材（２）のための１つの間隙が設けられた形状であることを特徴とする、請求項１〜４のいずれか一項に記載の装置。
【請求項６】
前記長い方の走行レール（４）は前記短い方の走行レール（３）を断面において少なくとも部分的に包囲し、好ましくは完全に包囲することを特徴とする、請求項１〜５のいずれか一項に記載の装置。
【請求項７】
前記支持又は保持部材（２）に設けられている前記回転部材（５）及び／又は滑動部材は、垂直に弾性的に取り付けられており且つ／又は弾性材料から成り、前記回転部材（５）及び／又は滑動部材が、弾性力とは反対方向に圧迫されることにより、前記短い方の走行レール（３）は、前記支持又は保持部材（２）に接することを特徴とする、請求項１〜６のいずれか一項に記載の装置。
【請求項８】
前記支持又は保持部材（２）には、前記短い方の走行レール（３）のための支持部（９）が設けられていることを特徴とする、請求項７に記載の装置。
【請求項９】
前記支持部（９）は、正面から見ると、実質的に、前記短い方の走行レール（３）の幅を有するように形成されていることを特徴とする、請求項８に記載の装置。
【請求項１０】
前記支持部（９）は、実質的に前記支持又は保持部材（２）の端部（１０、１１）の領域内に配置されていることを特徴とする、請求項８又は９に記載の装置。
【請求項１１】
前記短い方の走行レール（３）が前記支持部（９）に接しなくなると直ぐに、該短い方の走行レールが前記長い方の走行レール（４）と共に摺動可能になるように、前記短い方の走行レール（３）に配置されているフック（１３）と共に作用する駆動体（１２）が前記長い方の走行レール（４）に配置されていることを特徴とする、請求項８〜１０のいずれか一項に記載の装置。
【請求項１２】
前記フック（１３）は弾力に対して回転可能に取り付けられており、ストッパ（１５）を備え、該ストッパによって、前記支持又は保持部材（２）との接触時に前記駆動体（１２）の解放を引き起こすことができることを特徴とする、請求項１１に記載の装置。
【請求項１３】
前記支持又は保持部材（２）には水平に位置決めされている側方ローラ（８）又は滑動部材が設けられていることを特徴とする、請求項７〜１２のいずれか一項に記載の装置。
【請求項１４】
前記側方ローラ（８）又は滑動部材は、水平に弾性的に取り付けられており且つ／又は弾性材料から成ることを特徴とする、請求項１３に記載の装置。
【請求項１５】
前記短い方の走行レール（３）を曲げるために調整手段が設けられていることを特徴とする、請求項１〜１４のいずれか一項に記載の装置。
【請求項１６】
前記短い方の走行レール（３）は曲げられて実施されていることを特徴とする、請求項１〜１４のいずれか一項に記載の装置。
【請求項１７】
移動させるために、請求項１から１６のいずれか一項に記載の前記装置（１）に含まれる、前記長い方の走行レール（４）に取り付けられていることを特徴とする、摺動可能な部材。
【請求項１８】
前記部材は摺動可能なゲート（７）又は摺動可能なドアであることを特徴とする、請求項１７に記載の移動可能な部材。
【発明の詳細な説明】
【技術分野】
【０００１】
本発明は、スライドゲート又はスライドドアのような摺動可能な機構のための装置に関する。
【０００２】
本発明はさらに、摺動可能な部材、特にスライドゲート又はスライドドアであって、この部材を移動させるための装置を備える、摺動可能な部材に関する。
【背景技術】
【０００３】
屋外、たとえば公園又は個人用駐車場では、スライドゲート又はスライドドアがますます従来技術の回転式ゲート又はドアに取って代わっている。スライドゲート又はスライドドアは従来のゲート又はドアと比較して本質的な利点をもたらす。一方では、スライドゲート又はスライドドアは側方へと開くことができるため、スライドゲート又はスライドドアの場合以外ではゲート又はドアの回転領域として確保しなければならないであろう場所を利用することができる。他方では、スライドゲート又はスライドドアは通常、回転又は滑動部材上で移動可能であるため、これらはゲートが重い場合でも、通常比較的小さな力で動かすことができる。
【０００４】
スライドゲート又はスライドドア、特に屋外で使用されるようなものに対しては、複数の要求が存在する。第１の基準は、摺動可能なゲート又はドアは可能な限り自立して、すなわち支持ローラなしで形成されなければならないということである。これは、支持ローラが滑らかで汚れのない土台を必要とするためである。同時に、ゲート自体の外観が可能な限り乱されないように、ゲートを動かすのに必要な装置が必要とする所要面積は可能な限り小さくなければならない。第２の基準は、ゲート又はドアの開く際の高い可動性である。これは、開けるために必要な労力を可能な限り少なくしなければならないためである。これに加えて、第３の基準は、ゲート又はドアは開閉の際においても、また引き出されている（又は閉まっている）状態及び引き込められている（又は開いている）状態においても可能な限り安定していなければならないということである。
【０００５】
屋外用のスライドゲート又はスライドドアは、多くの場合、主に金属から成り、したがって重い。それでも、自立型スライドゲート又はスライドドアを建築において使用することを可能にするために、特許文献１の教示を参照することができる。この文献によれば、固定式ローラを備える中央支持体と、Ｓ字型のプロファイルを有する走行レールとを備える、スライドゲートのための装置が既知である。モータによって、キャスタを備え付けられているゲートを、走行レールの上方部分において速度ｖで動かすことができる。これに加えて、走行レールを、同じモータによって半分の速度ｖ／２で、支持体の固定式ローラを介して動かすことができる。この結果として、スライドゲートは、自身の位置とは無関係に常に部分的に、摺動可能に取り付けられている走行レールによって支持され、これは、自立型の実施の形態を可能にする。
【０００６】
ただし、当該技術水準による上述した変形形態では、ゲートに固定されているローラ及び支持体のローラは、それぞれ重なり合ってＳ字型の走行レールの半分の部分内に位置決めされており、したがって比較的高い土台が必要となるという欠点がある。これによって、高い美的な要求が満たされないだけでなく、ゲートが、移動において、及び開いているか又は閉まっている状態において不十分な安定性を有するようになる。
【先行技術文献】
【特許文献】
【０００７】
【特許文献１】ＰＣＴ公開ＷＯ２００５／０９３１９９号
【発明の概要】
【発明が解決しようとする課題】
【０００８】
ここで、本発明は、冒頭で述べた種類の装置であって、よりコンパクトな構造を可能にし、当該装置上でゲートが高い安定性で自由に支持可能である、装置を提示しようと試みると共にそのような課題を立てる。
【０００９】
本発明のさらなる目的は、当該技術水準の欠点が除去されている、冒頭に述べた種類の移動可能な部材を提示することである。
【課題を解決するための手段】
【００１０】
立てられた課題は、請求項１による装置によって解決される。本発明による装置の有利な変形形態は請求項２〜１６の主題である。
【００１１】
本発明のさらなる目的は、請求項１７による摺動可能な部材によって達成される。
【００１２】
本発明によって得られる利点は特に、自由に支持されるゲート又は自由に支持されるドアのための、コンパクトで、同時に安定性が高い土台が提供されることに見てとることができる。コンパクトな構造に起因して、支持装置が必要とする場所がわずかであるため、同時に美的な要求も満たすことができる。コンパクトな土台は、短い方の走行レールに、回転部材及び／又は滑動部材が設けられることによって達成される。これらの部材は、長い方の走行レールが短い方の走行レールにわたって真っ直ぐ円滑に動くように測定された、短い方の走行レールの高さにおいて固定されている。これによって、当該技術水準と比較して、土台の高さが大幅に低減され、ゲートが傾斜する傾向もより低い。同時に、短い方の走行レールが移動可能であることに起因して、確実に、重いゲート若しくは重いドアも自由に支持されている状態及び完全に引き出されている状態においても良好に支持されるか、又はゲートの（ドアの）重力の影響が緩和される。たとえば床側で固定することができる、設けられる支持又は保持部材は、たとえば鋼から中実に形成することができ、ゲートの重量の床への良好な伝導を確実にし、これはさらに高い安定性に貢献する。
【００１３】
安定性の理由から、本発明の枠内では、短い方の走行レールに設けられる回転部材及び／又は滑動部材を、走行レールの対向する端部に取り付け、それによって、ゲート又はドアによって生成される荷重モーメントを短い方の走行レールの長さ全体にわたって分散させることが好ましい。
【００１４】
特に簡単で、ひいてはまた好ましい変形実施形態では、短い方の走行レールは、長い方の走行レールの移動時に、最大引き出し位置又は引き込み位置へと自動的に共に移動可能である。
【００１５】
短い方の走行レールのプロファイルが断面において実質的に閉じて形成されていることも好ましい。これによって、特にゲート又はドアのための装置が床側に取り付けられている場合、摺動における円滑性を損なう可能性がある、回転及び／又は滑動部材の汚れによる汚染が防止される。同様の理由から、長い方の走行レールのプロファイルが断面において同様に実質的に閉じて形成されることも好ましい。長い方の走行レールのプロファイルが短い方の走行レールのプロファイルを断面において少なくとも部分的に包囲する、好ましくは完全に包囲する場合、特に好ましい変形実施形態がこの関連において生じる。この場合、好ましくは実質的に閉じて存在することができる長い方の走行レールは、短い方の走行レールに、位置とは無関係に、汚染及び／又は寒気からの保護を提供する。これによって、ゲートは、長く使用した後又は冬でも容易に摺動可能である。
【００１６】
上記で記載した種類の本発明による装置は、摺動可能なゲート又はドアの支持及び移動に使用することができ、コンパクトな省スペースの構造の他に、ゲート／ドアが美的に魅力的に自由に支持されて固定可能であり、同時に、支持されるゲート又は支持されるドアのための、安定性が高い土台が提供されることを特徴とし、ここで、長い方の走行レールにかかるゲート又はドアの重さは少なくとも部分的に短い方の走行レールが受ける。ここで、短い方の走行レールは、移動時、全ての時点において、支持又は保持部材の回転部材及び／又は滑動部材に載る／接する。
【００１７】
長い方の走行レールが完全に引き出されているか摺動されて入れられている場合、長いてこに起因して、大きな荷重が、相対的に短い支持又は保持部材に配置されている回転及び／又は滑動部材に作用する。特に重さがたとえば３００キログラムを超える重いゲート本体の場合、回転及び／又は滑動部材はしたがって非常に大きい荷重にさらされる。この問題は、支持又は保持部材に設けられている回転部材及び／又は滑動部材が、垂直に弾性的に取り付けられ且つ／又は弾性材料から成り、短い方の走行レールが弾力を克服して支持又は保持部材に係合可能である場合に解決することができる。
【００１８】
したがって、支持又は保持部材に取り付けられている回転部材及び／又は滑動部材が、（たとえば特に引き出されている状態において）本体又はゲートの自重の作用に起因して弾力が克服されると直ぐに、荷重が過度に大きい場合に垂直に摺動することが有利に達成される。短い方の走行レールはその後、支持部材に載ることができ、回転部材又は滑動部材への荷重が大幅に軽減される。これによって、回転部材及び／又は滑動部材の耐用年数が増加し、ひいては、装置が長期間にわたって、特にゲート／ドアが重い場合においても確実に誤りを伴わずに機能するようになる。ここで、短い方の走行レールが傾斜しないように保護されて支持又は保持部材に載ることができるように、支持又は保持部材に短い方の走行レールのための支持部が設けられることがさらに有利である。安定性の理由から、これらの支持部は好ましくは、正面から見ると、実質的に、短い方の走行レールの幅を有するように形成されている。ここで、短い方の走行レールが可能な限り安定して載置又は接触するために、支持部が、実質的に支持又は保持部材の端部の領域内に配置されることが有利である。
【００１９】
短い方の走行レールは基本的に、移動可能になると直ぐに、手によって摺動させることができる。しかしスライドゲートを容易に引き出すか又は摺動させて入れることを可能にするために、短い方の走行レールが支持又は保持部材に載らないか又は接しなくなると直ぐに、長い方の走行レールと共に摺動可能になるように、短い方の走行レールに配置されているフックと共に作用する駆動体を長い方の走行レールに配置するように意図することができる。特に簡単な実施の形態では、フックは弾力に対して回転可能に取り付けられると共にストッパを備えることができ、このストッパによって、支持又は保持部材との接触時に駆動体の解放を引き起こすことができる。
【００２０】
本発明のさらなる利点及び効果は、以下の実施例から明らかになる。当業者には、以下の実施例の個々の特徴は、さらなる特徴と組み合わせて言及されている場合でも、上記で説明した本発明の概略的な概念と組み合わせることができることを理解されたい。
【図面の簡単な説明】
【００２１】
【図１】開いている位置（Ｉ）、半分開いている位置（ＩＩ）、及び閉じている位置（ＩＩＩ）における固定されているゲートを備える、本発明による装置の図である。
【００２２】
【図２】本発明による装置の断面図である。
【００２３】
【図３】本発明による装置の一変形実施形態の図である。
【００２４】
【図４】本発明による装置の側面図である。
【００２５】
【図５】図４に示されている装置の平面図である。
【００２６】
【図６】図４による装置の正面図である。
【００２７】
【図７】弾性的に取り付けられているローラを備える支持又は保持部材の図である。
【００２８】
【図８】図７の支持又は保持部材、及び走行レールの一部の正面図である。
【００２９】
【図９】短い方の走行レールのための駆動体を備える本発明による装置の図である。
【発明を実施するための形態】
【００３０】
図１には、本発明による概念が概略図に基づいてより詳細に示されている。示されているのは、３つの位置Ｉ、ＩＩ、ＩＩＩであり、これらの位置において、ゲート７は、完全に引き込められている状態（Ｉ）、半分引き出されている状態（ＩＩ）、及び完全に摺動して出されている状態（ＩＩＩ）にある。明らかであるように、装置１は、ゲート７の長さと比較して短い取り付け台（Einspannbock: mounting rack）又は支持体２を備える。取り付け台又は支持体２は好ましくは、中実材料、たとえば鋼から形成され、６０ｃｍを下回る長さを有する。支持体２の中実形成は、３メートルを超える長さを有する重いゲート７において力を効率的に地面又は基礎に導くと共に、支持体２が短い長さで形成されているにも関わらず高い安定性を保証するための前提条件である。
【００３１】
支持体２には、頭部が固定されているローラ対５が取り付けられている。これは、ローラ対５が最大水平方向距離を互いに対して有するように有利に行われ、これは同様に、地面への良好な力伝導と、ひいては装置１の高い安定性とを共にもたらす。ローラ対５の上には走行レール３が延在しており、この走行レールは、各端部において位置Ｅ１、Ｅ２に２つのローラ対６を備え付けられている。これらのローラ対６はさらなる走行レール４のために設けられており、この走行レール４は、走行レール３よりも長く、ゲート７を支持する。概略図によって明らかであるように、長い方の走行レール４と短い方の走行レール３との間の垂直距離はわずかであり、実質的に、ローラ対６が固定されている高さにのみ依存する。理想的な場合では、ローラ対６は、走行レール４又はゲート７が、短い方の走行レール３上で真っ直ぐ円滑に摺動することを可能にする高さに位置決めされる。したがって、コンパクトな又は高さが低減されており且つ安定性が高い土台が提供される。
【００３２】
図１の概略図によって同様に明らかであるように、短い方の走行レール３は特に、ゲート７の重量を受けるために用いられる。ここで、ゲートが位置Ｉから位置ＩＩを介して位置ＩＩＩに移動する場合、遅くとも、閉ざされる長い方の走行レール４が短い方の走行レール３のローラに衝突するときに、この走行レール３が共に移動する。これは、走行レール３は支持体２のローラ５上で摺動可能に取り付けられているためである。このように、短い方の走行レール３が、長い方の走行レール４によって共に移動することによって、ゲートが位置ＩＩＩにおいても完全に走行又は支持レール３によって支持されることが可能になる。これによって、ゲート７を、土台の高さが低減されているにもかかわらず自由に支持することが可能になる。
【００３３】
図２には、載置されているゲート７を備える、本発明による装置１を詳細に断面で示す。明らかであるように、装置１は、頭部を地面において又はたとえば基礎上に固定することができると共に中実に形成されているＴ字型の支持体２を備える。支持体２にはローラ対５が取り付けられており、このローラ対５を介して走行レール３は摺動可能である。走行レール３は実質的に閉じて形成されている、すなわち、支持体２のための１つのみの間隙が設けられており、それによって容易な移動又は転動が可能になる。走行レール３にはさらなるローラ対６が設けられており、これらのローラ対６は、長い方の走行レール４を受け止める。ここで、走行レール４は部分的に、図２に示されているように、走行レール３を包囲し、この場合同様に閉じて形成されており、それによって、走行レール４はローラ対６に沿って走行レール３の周りで転動することができる。代替の実施形態も、当然同様に可能である。たとえば、長い方の走行レール４は断面において、自身の側腕部４１が走行レール３の側腕部３１を覆って延在し、断面において支持体２のために１つのみの隙間が設けられているように形成されることができる。
【００３４】
図３によって示されているように、必ずしも、走行レール４を移動させるために設けられている全てのローラ対６が短い方の走行レール３に固定されている必要はない。むしろ、ローラ対６のうちの一方が直接支持体２に取り付けられているように意図することもできる。これは、支持体２は力を受けるためのものであるため、作用する荷重モーメントの主な部分を支持体２が受けるか又は他へ導くという利点をもたらす。
【００３５】
図３によって同様に明らかであるように、支持体２は垂直の平行板２１、２２、２３と共に形成されており、これらの板によって形成されている自由空間内にローラ対５が取り付けられている。これはさらに、ローラ対５及び走行レール３のそれぞれを汚れ及び堆積物の作用から保護することにも貢献する。
【００３６】
図４、図５、及び図６は、本発明による装置のさらなる一変形実施形態を示している。この変形形態では、上方及び下方のローラ対５、６はそれぞれ、支持体又は保持部材２及び短い方の走行レール３に設けられている。これは、特に図２に示されている変形形態では、走行レール３、４が、上方のローラ対上においても下方のローラ対上においても延在しているか又はこれらのローラ対によって保持されるという利点をもたらし、これは、装置又は上に構築されているゲート７の特に高い安定性を保証する。
【００３７】
図１に示されているように、ゲート７が完全に摺動して入れられている／引き出されている状態（位置Ｉ又はＩＩＩ）にある場合、ゲート７が重いと、非常に大きい力がローラ対５に作用する。これは、ゲート７の長さに基づいて対応した長さのてこが効果を発するためである（２００キログラムを有するゲートでは、てこの作用はローラ対５に１５００キログラムの荷重をもたらし得る）。
【００３８】
これは、図７及び図８に示されているように、本発明による装置１が支持又は保持部材２と共に使用される場合に回避することができる。この短い中実の支持又は保持部材２では、ローラ対５は皿ばね１４によって弾性的に取り付けられており、それによって、ローラ対５は荷重が大きい場合、垂直に摺動可能である。これに加えてさらに、支持部９が支持又は保持部材２の端部１０、１１に設けられており、短い方の走行レール３は、荷重が非常に大きい場合、すなわちローラ対５が、作用する弾力とは反対方向に圧迫されている場合に、この支持部に接することができる。ローラ対５は弾性材料から成ることもでき、これは、短い方の走行レール３が支持部９に接するのを促進することができる。
【００３９】
本発明による装置１の機能は以下の通りである：完全に引き込まれている状態（図１を参照されたい）では、長い方の走行レール４と、この走行レール４上に取り付けられているゲート７とを介して大きい荷重が回転部材５に作用し、これらの回転部材は、この荷重に起因して、短い方の走行レール３が支持部９上に載るか又は支持部９に接するまで皿ばね１４の力に対抗して垂直に摺動する。ここで、ゲート７が摺動して出され、したがって長い方の走行レール４が動くと、回転部材５に対する荷重は低減し、それによって、これらの回転部材は皿ばね１４によって垂直に上方又は下方に動き、それによって、短い方の走行レール３が支持部９によって持ち上げられ、回転するようになった回転部材５上で移動することができる。長い方の走行レール４が完全に引き出されている状態の位置に近づくと、荷重は再び増大し、それによって、ローラ対５はこの段階において再び垂直に圧迫され、短い方の走行レール３が再び支持部９に接するようになる。
【００４０】
支持又は保持部材２と共に動作する短い方の走行レール３は、図８においてこの部材と共により詳細に示されており、走行レール３には、必要とされるローラの一部のみが取り付けられている。明らかであるように、支持又は保持部材２に支持部９が取り付けられており、これらの支持部の外側輪郭は走行レール３の内側プロファイルに適合しており、それによって、短い方の走行レール３は下降時に、側方においても水平においても可能な限り完全に接するようになる。この場合、上方又は下方の支持部９はそれぞれ、支持体２の片方において、支持体２のもう片方における、対角線上で対向する支持部９と共に作用する。支持部９は開口を有し、これらの開口内に、たとえばねじ又は他の道具を嵌めることができ、これらの開口によって支持部９の高さを細かく調節することができ、それによって、皿ばね１４と共同で、どの荷重において走行レール３が接するようになるかを正確に調整することができる。
【００４１】
付加的に、図７又は図８に示されている支持体２では側方ローラ８が設けられており、場合によっては、この側方ローラの代わりに滑動部材を用いることができる。側方ローラ８は、たとえば同様に皿ばねによって水平に弾性的に取り付けられることができるか、又は弾性材料から成ることができる。このような変形実施形態は、側方に力がかかっている場合、たとえば強い風の作用が存在する場合、ローラ対５を損傷から又はさらにゲート７を傾斜しないように保護するのに特に有利であることが分かっている。この変形形態では好ましくはさらに、支持部９と同様の側方接触部材が設けられている。
【００４２】
長い方の走行レール４が摺動して短い方の走行レール３が支持部９に接しなくなった直後に、短い方の走行レール３の自動移動を引き起こす機構を設けることが有利である。このために様々な機構が使用可能であり、特に簡単な機構を図９に基づいて説明する。図８に基づいて説明されたような、本発明による装置１は、弾性的に取り付けられている回転部材５を備える支持又は保持部材２を備える。支持又は保持部材２、及び対で配置されている回転部材５のそれぞれは短い方の走行レール３を支持し、この走行レール３は、ここではより詳細には示されていないローラ対を設けられており、このローラ対上で、概略的に示されている長い方の走行レール４が移動可能である。図９に示されている場合では、ゲートは完全に引き出されている。この状態では、短い方の走行レール３は、説明したように、支持体２の支持部９上に載るか又は支持部９に接する。長い方の走行レール４が、ゲートが摺動したときに、図９において左へ移動すると、短い方の走行レール３、ひいてはさらに、対になっている回転部材５に作用する荷重が低減し（より小さいてこ）、それによって、短い方の走行レール３が、この段階において活動状態にある回転部材５を介して移動可能となる。短い方の走行レール３が、荷重が引き続いて再び、短い方の走行レール３がもはや移動することができなくなるほど大きくならないうちに自動的に移動させられるように、長い方の走行レール４は、短い方の走行レール３のフック１３と共に作用する駆動体１２を備える。これによって、短い方の走行レール３は、自動的に共に移動させられ、荷重が再び、回転部材５及び皿ばね１４のそれぞれが圧迫されて走行レール３が支持体２に接するほど大きくなると、自身の水平位置に関して所望の状態にあるようになる。
【００４３】
図９に示されているように、フック１３は短い方の走行レール３に回転可能に固定されており、成形されたストッパ１５を備え、それによって、フック１３は、支持体２に衝突すると直ぐに、回転して駆動体１２を解放する。フック１３は駆動体１２の解放後、共に移動することが可能な位置に運ばれるため、有利にはフック１３を上方へと押すばね部材が設けられている。
【００４４】
これらのフック１３は、同様に図９から明らかであるように、概ね、短い方の走行レール３の第１の端部及び第２の端部の領域内にそれぞれ取り付けられている。長い方の走行レール４に配置されている駆動体１２は、短い方の走行レール３が回転部材５を介して移動可能になると直ぐにフック１３に係合するように、水平に位置決めされている。
【００４５】
本発明による装置によって、従来よりもはるかに重いゲートを支持することができる。たとえば、数百キログラムまでのゲートを本発明による装置によって動かすことが可能である。ここで、設けられるばね１４は好ましくは、たとえば４００キログラムを超える大きい荷重の場合に短い方の走行レール３が支持体２に接するように構成されている。これによって、質量が非常に大きい場合であっても回転部材５の荷重はわずかである。しかし同時に、短い方の走行レール３は、長い方の走行レール４を支持するために用いられ、したがって、ゲートが完全に引き出されているか又は完全に摺動されて入れられている状態においても荷重の主な部分を受ける。この荷重は最終的に、支持又は保持部材２に伝達される。支持又は保持部材２は、鋼から中実に製造されるのが好ましく、短い構造にもかかわらず大きい荷重を受けて他へ導くことができる。
【００４６】
図示されてはいないが、短い方の走行レール３は必ずしも直線状に形成される必要はなく、好ましくは少なくとも部分的に曲げて実施することもできる。これによって、たとえば支持又は保持部材２の領域において単に２ｍｍだけであるが、ゲートが引き出されている状態において数センチメートルの降下をもたらす可能性がある、ゲートの荷重によって引き起こされる走行レール３の湾曲を補正することができる。このような一実施形態は、環境に基づいてゲートが、摺動されて入れられている状態では水平に、しかし引き出されている状態では傾いていなければならない場合にも、有利であり得る。
【００４７】
短い方の走行レール３の曲がっている実施形態の代わりに、短い方の走行レール３が直線状に形成されている場合に、たとえば支持体２に、短い方の走行レール３を容易に曲げることを可能にする調整手段を設けることも可能である。
【００４８】
上記において、スライドゲートのための、本発明による装置１の使用を例示的に説明したが、このような装置１は、棚及び引き出しシステム、軒、覆い、可動橋、作業及び形成台、掘進機械（トンネル建設及び採掘）、機械及び機器製造における引出及び押出装置、仕切り及び家具、並びに、極めて一般的には、自身の引き出し長さと比較して短い支持部材に対する大きな荷重を摺動しなければならない設備においても使用することができる。ここで、特に、図７に対応する支持又は保持部材２の構成が有利であることが分かっている。ここで、支持又は保持部材２は、複数の部分から成って形成することもでき、それによってこの部材の長さは用途に応じて調整可能である。
【図１】
0005515095.tif 000002
【図２】
0005515095.tif 000003
【図３】
0005515095.tif 000004
【図４】
0005515095.tif 000005
【図５】
0005515095.tif 000006
【図６】
0005515095.tif 000007
【図７】
0005515095.tif 000008
【図８】
0005515095.tif 000009
【図９】
0005515095.tif 000010